(57)【要約】【課題】無線機からの電波を受信しないエリアにおける作業が生じた場合であっても、不要な警報を防止するとともに、携行品の置き忘れを防止することができる携帯端末および置き忘れ防止方法を提供する。【解決手段】無線タグ２１０から送信される電波を受信する受信部１０１と、電波を第１所定時間以上受信しなかった場合に警報を出力する警報出力部１０５と、スヌーズ機能ＯＮ、および第２所定時間内に延長指示の入力を受け付ける入力受付部１０４と、スヌーズ機能ＯＮにされた場合に、電波を第１所定時間以上受信しなかった場合でも警報の出力を第２所定時間停止する停止制御部１０６と、延長指示をカウントするカウント部１０７と、カウントされた回数が閾値以下であるか否かを判断する延長回数判断部１０９とを備え、停止制御部１０６は、カウントされた回数が閾値以下であると判断された場合に、第２所定時間を延長して警報の出力を停止する。【選択図】図１
2011166686.tif 000002
【特許請求の範囲】
【請求項１】
携行品に設けられた携帯型記憶媒体から送信される電波を受信する受信部と、
前記電波を第１所定時間以上受信しなかった場合に警報を出力する警報出力部と、
利用者による前記警報の出力を停止する旨の停止指示を受け付ける停止指示受付部と、
前記停止指示が受け付けられた場合に、前記電波を第１所定時間以上受信しなかった場合でも前記警報の出力を第２所定時間停止する停止制御部と、
前記第２所定時間内に前記第２所定時間を延長する旨の延長指示を受け付ける延長指示受付部と、
前記延長指示が受け付けられた回数をカウントするカウント部と、
前記第２所定時間内に前記延長指示が受け付けられた場合に、カウントされた前記回数が、あらかじめ定められた閾値以下であるか否かを判断する判断部と、
を備え、
前記停止制御部は、カウントされた前記回数が前記閾値以下であると判断された場合に、前記第２所定時間を延長して前記警報の出力を停止すること、
を特徴とする携帯端末。
【請求項２】
前記停止制御部は、カウントされた前記回数が前記閾値を超えると判断された場合は、前記延長指示を受け付けた場合であっても、前記第２所定時間を延長しないこと、
を特徴とする請求項１に記載の携帯端末。
【請求項３】
前記停止指示が受け付けられた場合に、前記停止指示が受け付けられた時点から前記第２所定時間の満了時までの現在時刻における残りの時間を示す残余時間を算出し、前記残余時間が第３所定時間になったか否かを判断する残余時間判断部と、
前記残余時間が前記第３所定時間になったと判断された場合に、前記残余時間が前記第３所定時間になったことを報知する報知部と、
をさらに備えることを特徴とする請求項１に記載の携帯端末。
【請求項４】
携行品に設けられた携帯型記憶媒体から送信される電波を受信する受信ステップと、
前記電波を第１所定時間以上受信しなかった場合に警報を出力する警報出力ステップと、
利用者による前記警報の出力を停止する旨の停止指示を受け付ける停止指示受付ステップと、
前記停止指示が受け付けられた場合に、前記電波を第１所定時間以上受信しなかった場合でも前記警報の出力を第２所定時間停止する停止制御ステップと、
前記第２所定時間内に前記第２所定時間を延長する旨の延長指示を受け付ける延長指示受付ステップと、
前記延長指示が受け付けられた回数をカウントするカウントステップと、
前記第２所定時間内に前記延長指示が受け付けられた場合に、カウントされた前記回数が、あらかじめ定められた閾値以下であるか否かを判断する判断ステップと、
を含み、
前記停止制御ステップは、カウントされた前記回数が前記閾値以下であると判断された場合に、前記第２所定時間を延長して前記警報の出力を停止すること、
を特徴とする置き忘れ防止方法。
【発明の詳細な説明】
【技術分野】
【０００１】
本発明は、出向先における置き忘れを防止する携帯端末および置き忘れ防止方法に関する。
【背景技術】
【０００２】
従来から、携行品に無線タグを貼付等し、無線タグとの距離が所定以上になった場合に警報を発する置き忘れ防止装置が普及している。例えば、無線タグを使用した携帯端末は、無線タグから電波を受信し、受信した電波の信号強度を観測することで、信号強度が一定レベル以下になったときに警報を鳴動させる方法が知られている。
【０００３】
しかし、携行品が置き忘れられた状況以外でも、信号強度が一定レベル以下となる電波状況に携帯端末が置かれた場合は誤動作により警報が鳴動してしまうという問題があった。そこで、誤動作による警報の出力を防止するために、所定時間毎に電波の受信レベルを測定し、今回測定した電波の受信レベルと前回測定した電波の受信レベルの差の大きさにより、警報出力の基準とする電波の受信レベルの閾値を決定する技術が開示されている（例えば、特許文献１）。
【先行技術文献】
【特許文献】
【０００４】
【特許文献１】特開２００９−２２５１９４号公報
【発明の概要】
【発明が解決しようとする課題】
【０００５】
しかしながら、技術員が、無線タグが貼付された携行品から離れる必要がある状況でも、特許文献１の方法では、設定された受信レベルを下回ると警報が作動するため、不要な警報が生じることとなる。そこで、技術員は無線タグが貼付された携行品から離れる必要が生じた場合は、携帯端末の電源を切ることとなり、その後、携帯端末の電源を入れ忘れると、携帯端末に置き忘れ防止機能が搭載されていても当該機能が有効に機能せず、携行品の置き忘れが発生してしまうこととなる。
【０００６】
本発明は、上記に鑑みてなされたものであって、無線機からの電波を受信しないエリアにおける作業が生じた場合であっても、不要な警報を防止するとともに、携帯端末の電源を切ることなく、携行品の置き忘れを防止することができる携帯端末および置き忘れ防止方法を提供することを目的とする。
【課題を解決するための手段】
【０００７】
上述した課題を解決し、目的を達成するために、本発明にかかる携帯端末は、携行品に設けられた携帯型記憶端末から送信される電波を受信する受信部と、前記電波を第１所定時間以上受信しなかった場合に警報を出力する警報出力部と、利用者による前記警報の出力を停止する旨の停止指示を受け付ける停止指示受付部と、前記停止指示が受け付けられた場合に、前記電波を第１所定時間以上受信しなかった場合でも前記警報の出力を第２所定時間停止する停止制御部と、前記第２所定時間内に前記第２所定時間を延長する旨の延長指示を受け付ける延長指示受付部と、前記延長指示が受け付けられた回数をカウントするカウント部と、前記第２所定時間内に前記延長指示が受け付けられた場合に、カウントされた前記回数が、あらかじめ定められた閾値以下であるか否かを判断する判断部と、を備え、前記停止制御部は、カウントされた前記回数が前記閾値以下であると判断された場合に、前記第２所定時間を延長して前記警報の出力を停止すること、を特徴とする。
【０００８】
また、本発明にかかる置き忘れ防止方法は、携行品に設けられた携帯型記憶端末から送信される電波を受信する受信ステップと、前記電波を第１所定時間以上受信しなかった場合に警報を出力する警報出力ステップと、利用者による前記警報の出力を停止する旨の停止指示を受け付ける停止指示受付ステップと、前記停止指示が受け付けられた場合に、前記電波を第１所定時間以上受信しなかった場合でも前記警報の出力を第２所定時間停止する停止制御ステップと、前記第２所定時間内に前記第２所定時間を延長する旨の延長指示を受け付ける延長指示受付ステップと、前記延長指示が受け付けられた回数をカウントするカウントステップと、前記第２所定時間内に前記延長指示が受け付けられた場合に、カウントされた前記回数が、あらかじめ定められた閾値以下であるか否かを判断する判断ステップと、を含み、前記停止制御ステップは、カウントされた前記回数が前記閾値以下であると判断された場合に、前記第２所定時間を延長して前記警報の出力を停止すること、を特徴とする。
【発明の効果】
【０００９】
本発明によれば、置き忘れ防止装置からの電波を受信しないエリアにおいて作業する場合であっても、不要な警報を防止しつつ、携行品の置き忘れを防止することができるという効果を奏する。
【図面の簡単な説明】
【００１０】
【図１】図１は、本発明の実施の形態にかかる携帯端末および携帯端末を用いた置き忘れ防止システムの構成図である。
【図２】図２は、携帯端末１００によるスヌーズ機能実行処理の手順を示すフローチャートである。
【発明を実施するための形態】
【００１１】
以下に添付図面を参照して、この発明にかかる携帯端末および置き忘れ防止方法の最良な実施の形態を詳細に説明する。
【００１２】
図１は、本発明の実施の形態にかかる携帯端末および携帯端末を用いた置き忘れ防止システムの構成図である。図１に示すように、置き忘れ防止システムは、センサ４００と警備装置３００が設置された現場５０に、携行品２００に設けられた無線タグ２１０と、携帯端末１００が備えられている。そして、携帯端末１００は、ネットワーク１０を介して監視センタ５００と接続されている。また、警備装置３００は、ネットワーク２０を介して監視センタ５００と接続されている。
【００１３】
センサ４００は、監視領域である現場５０に設置され、監視領域の異常を検知する。警備装置３００は、センサ４００により異常が検知された場合に、監視センタ１５０に警報を送信する。監視センタ１５０は、警備装置３００から警報を受信すると、待機中の警備員に現場５０に出動する指示を出すとともに、必要に応じて警察や消防などの関係機関に通報する。
【００１４】
携行品２００は、技術員が現場５０に出向する際に携行する物品であり、例えば、ＰＣ（Ｐｅｒｓｏｎａｌ  Ｃｏｍｐｕｔｅｒ）、書類ケース、測定機器等がある。
【００１５】
無線タグ２１０は、例えばＲＦＩＤ（Radio Frequency Identification）タグであり、図１に示すように携行品２００に備えられており、携帯端末１００に無線通信により電波を送信する。無線通信には、例えば、Ｂｌｕｅｔｏｏｔｈ（登録商標）等を用いることができる。なお、無線タグ２１０は、本発明における携帯型記憶端末に相当する。
【００１６】
携帯端末１００は、置き忘れ警報機能や、スヌーズ機能を備える。ここで、置き忘れ警報機能とは、無線タグ２１０からの電波を第１所定時間以上受信しなかった場合に、置き忘れ警報を出力する機能のことであり、ＯＮの状態のときにその状態が作動する。また、第１所定時間とは、携帯端末１００が無線タグ２１０からの電波が届くエリアである無線圏の圏外であると判断される基準としてあらかじめ定められた時間のことである。また、置き忘れ警報とは、携帯端末１００の置き忘れを示す警報のことである。
【００１７】
また、スヌーズ機能とは、置き忘れ警報機能がＯＮの状態において、無線タグ２１０からの電波を第１所定時間受信しなかった場合でも、第２所定時間を経過するまでの間置き忘れ警報の出力をキャンセルする機能のことである。例えば、スヌーズ機能は、携行品であるＰＣを建物１階で端末等に接続して建物３階で作業する場合のように、技術員が一時的に携行品から離れて作業を行う必要があるような状況や、技術員が作業中に無線圏外に一時的に立ち入る必要があるような状況で使用される。そこで、第２所定時間は、無制限に置き忘れ警報の出力がキャンセルされ、置き忘れ防止機能が有効に活用されなくなる事態を防止するため、無線圏外での作業に必要最小限の時間が定められている。
【００１８】
次に、携帯端末１００の詳細について説明する。図１に示すように、携帯端末１００は、受信部１０１と、操作表示部１０２と、表示制御部１０３と、入力受付部１０４と、警報出力部１０５と、停止制御部１０６と、カウント部１０７と、第１タイマー部１０８と、延長回数判断部１０９と、残余時間判断部１１０と、報知部１１１と、第２タイマー部１１２とを主に備える。
【００１９】
受信部１０１は、無線タグ２０１からの電波を定期的に受信する。第１タイマー部１０８は、受信部１０１により無線タグ２０１からの電波を受信しなかった時間を計時する。表示制御部１０３は、操作表示部１０２に入力画面や操作画面等を表示する。
【００２０】
入力受付部１０４は、操作表示部１０２からユーザにより各種入力事項の入力を受け付ける。例えば、入力事項としては、置き忘れ警報機能や、スヌーズ機能のＯＮまたはＯＦＦ、スヌーズ機能の延長指示（以下、スヌーズ延長指示という。）等がある。ここで、スヌーズ延長指示とは、スヌーズ機能ＯＮの状態である間にスヌーズ期間を延長する旨の指示のことである。具体的には、第２所定時間内に、当該第２所定時間を延長する指示のことである。
【００２１】
入力受付部１０４は、例えば、ユーザによる操作表示部１０２に表示されている置き忘れ警報機能ＯＮやＯＦＦのボタン（不図示）や、スヌーズボタン（不図示）の押下により入力を受け付ける。なお、入力受付部１０４は、本発明における停止指示受付部および延長指示受付部に相当する。
【００２２】
警報出力部１０５は、入力受付部１０４により置き忘れ警報機能ＯＮの入力が受け付けられた場合に、無線タグ２１０からの電波が第１所定時間以上受信されなかった場合に、置き忘れ警報を出力する。具体的には、警報出力部１０５は、第１タイマー部１０８が第１所定時間を計時した場合に、無線タグ２１０からの電波が第１所定時間以上受信されなかったと判断する。
【００２３】
また、警報出力部１０５は、停止制御部１０６によりスヌーズ機能ＯＮにされている場合、すなわち置き忘れ警報の出力が停止されている場合は、無線タグ２１０からの電波が第１所定時間以上受信されなかった場合であっても、置き忘れ警報を出力しない。
【００２４】
第２タイマー部１１２は、入力受付部１０４によりスヌーズ機能ＯＮの入力が受け付けられた場合に、第２所定時間をセットし計時する。
【００２５】
停止制御部１０６は、入力受付部１０４によりスヌーズ機能ＯＮの入力が受け付けられた場合に、受信部１０１が無線タグ２１０からの電波を第１所定時間受信しなかった場合でも、第２所定時間を経過するまでの間置き忘れ警報の出力を停止する。具体的には、停止制御部１０６は、第２タイマー部１１２による第２所定時間の計時を終了するまで置き忘れ警報の出力をキャンセルする。
【００２６】
カウント部１０７は、入力受付部１０４によりスヌーズ延長指示の入力が受け付けられた場合に、スヌーズ延長指示の入力が受け付けられた回数を計時する。第２タイマー部１１２は、スヌーズ延長指示の入力が受け付けられた時点から第２所定時間を計時する。
【００２７】
延長回数判断部１０９は、入力受付部１０４によりスヌーズ延長指示の入力が受け付けられた場合は、カウント部１０７のカウント数が所定回数以下であるか否かを判断する。ここで、所定回数とは、スヌーズ延長可能な回数としてあらかじめ定められた回数のことである。所定回数は、あまりに長時間置き忘れ警報の出力がキャンセルされたのでは、置き忘れ防止機能を有効に活用することができなくなるため、無線圏外での作業に必要最小限の延長回数が閾値として定められている。なお、延長回数判断部１０９は、本発明における判断部に相当する。
【００２８】
停止制御部１０６は、スヌーズ機能ＯＮの状態である第２所定時間内に、入力受付部１０４によりスヌーズ延長指示の入力が受け付けられ、延長回数判断部１０９によりカウント部１０７のカウント数が所定回数以下であると判断された場合は、第２所定時間を延長する。例えば、停止制御部１０６は、第２タイマー部１１２に第２所定時間をリセットする指示を送信する。
【００２９】
残余時間判断部１１０は、第２所定時間の残余時間（以下、残余時間という。）が第３所定時間になったか否かを判断する。ここで、第３所定時間とは、報知部１１１により残余時間を報知するための時間としてあらかじめ定められた時間のことである。例えば、残余時間判断部１１０は、現在時刻と、スヌーズ機能ＯＮの入力が受け付けられた時点から第２タイマー部１１２により計時された時間とから残余時間を算出し、算出した時間が第３時間を切った場合に、残余時間が第３所定時間になったと判断する。
【００３０】
報知部１１１は、残余時間判断部１１０により残余時間が第３所定時間になったと判断された場合に、ユーザに残余時間を報知する。例えば、報知部１１１は、表示制御部１０３により操作表示部１０２に残余時間を表示する。また、他の例として、音声出力部（不図示）により残余時間を音声出力してもよい。
【００３１】
次に、以上のように構成された携帯端末１００によるスヌーズ機能実行処理の手順について説明する。図２は、携帯端末１００によるスヌーズ機能実行処理の手順を示すフローチャートである。
【００３２】
停止制御部１０６は、警報出力部１０５により携帯端末１００が無線圏内であると判断されたか否かを確認する（ステップＳ１）。具体的には、停止制御部１０６は、警報出力部１０５により受信部１０１による無線タグ２１０からの電波の受信が第１所定時間を超えない間隔で受信されていることにより携帯端末１００が無線圏内であると判断されているか否かを確認する。
【００３３】
停止制御部１０６は、携帯端末１００が無線圏外であると判断されたことを確認した場合に（ステップＳ１：Ｎｏ）、スヌーズ機能ＯＮを確認する（ステップＳ２）。具体的には、停止制御部１０６は、第２タイマー部１１２により第２所定時間が計時中であるか否かを確認する。
【００３４】
停止制御部１０６は、スヌーズ機能ＯＮを確認した場合は（ステップＳ２：Ｙｅｓ）、警報出力部１０５により携帯端末１００が無線圏外であると判断された場合であっても、警報出力部１０５に置き忘れ警報の出力を停止させる（ステップＳ３）。
【００３５】
停止制御部１０６は、第２所定時間が経過したか否かを確認する（ステップＳ４）。停止制御部１０６は、第２タイマー部１１２により第２所定時間が経過したことを確認した場合は（ステップＳ４：Ｎｏ）、警報出力部１０５による置き忘れ警報の出力の停止を解除し、警報出力部１０５は置き忘れ警報を出力する（ステップＳ１２）。
【００３６】
一方、停止制御部１０６により、第２所定時間が経過したことが確認されなかった場合は（ステップＳ４：Ｙｅｓ）、残余時間判断部１１０は、残余時間が第３所定時間以上であるか否かを判断する（ステップＳ５）。報知部１１１は、残余時間判断部１１０により残余時間が第３所定時間以下であると判断された場合は（ステップＳ５：Ｙｅｓ）、残余時間が第３所定時間になった旨をユーザに通知する（ステップＳ６）。
【００３７】
停止制御部１０６は、入力受付部１０４によりスヌーズ延長指示の入力が受け付けられたか否かを確認する（ステップＳ７）。停止制御部１０６により、スヌーズ延長指示の入力が受け付けられたことを確認した場合は（ステップＳ７：Ｙｅｓ）、延長回数判断部１０９は、スヌーズ延長指示の入力が受け付けられた回数が所定回数以下であるか否かを判断する（ステップＳ８）。
【００３８】
停止制御部１０６は、延長回数判断部１０９により、スヌーズ延長指示の入力が受け付けられた回数が所定回数以下であると判断された場合は（ステップＳ８：Ｙｅｓ）、カウント部１０７のカウンターを１つ増やす（ステップＳ９）。第２タイマー部１１２は、第２所定時間をリセットし、新たに第２所定時間を計時する（ステップＳ１０）。例えば、第２所定時間が３０分、延長回数が２回と設定されている場合は、停止制御部１０６は、スヌーズ機能を最長１時間設定できることとなる。
【００３９】
一方、ステップＳ８において、延長回数判断部１０９により、スヌーズ延長指示の入力が受け付けられた回数が所定回数を超えると判断された場合は（ステップＳ８：Ｎｏ）、停止制御部１０６は、第２所定時間をリセットすることなく、現在計時中の第２所定時間経過後にスヌーズ機能をＯＦＦにする（ステップＳ１１）。例えば、第２所定時間が３０分、所定回数が２回の設定であれば、技術員は１時間を超えてスヌーズ機能を使用する場合は、携帯端末１００を無線圏内に持って行く必要が生じることとなる。これにより、スヌーズ機能を使用しながら、真の置き忘れを防止することができる。
【００４０】
ステップＳ１に戻り、停止制御部１０６は、警報出力部１０５により携帯端末１００が無線圏内であると判断された場合は（ステップＳ１：Ｙｅｓ）、警報出力部１０５により置き忘れ警報が出力中であるか否かを確認する（ステップＳ１３）。停止制御部１０６は、警報出力部１０５により置き忘れ警報が出力中でないこと確認した場合は（ステップＳ１３：Ｎｏ）、スヌーズ機能がＯＮであるか否かを確認する（ステップＳ１４）。停止制御部１０６は、スヌーズ機能がＯＦＦであることを確認した場合は（ステップＳ１４：Ｎｏ）、ステップＳ７の処理に進む。
【００４１】
一方、停止制御部１０６は、スヌーズ機能がＯＮであることを確認した場合は（ステップＳ１４：Ｙｅｓ）、入力受付部１０４によりスヌーズ機能を解除する入力が受け付けられたか否かを確認する（ステップＳ１５）。例えば、スヌーズ機能を解除する入力は、入力受付部１０４は、操作表示部１０２に表示されているスヌーズ機能ＯＦＦのボタン（不図示）の再押下により受け付ける。
【００４２】
停止制御部１０６は、スヌーズ機能を解除する入力が受け付けられたことが確認されなかった場合は（ステップＳ１５：Ｎｏ）、表示制御部１０３により操作表示部１０２にスヌーズ機能ＯＮを表示する（ステップＳ１６）。
【００４３】
一方、停止制御部１０６は、スヌーズ機能を解除する入力が受け付けられたことが確認された場合は（ステップＳ１５：Ｙｅｓ）、スヌーズ機能を解除する（ステップＳ１７）。具体的には、停止制御部１０６は、スヌーズ機能を解除する入力が受け付けられたことにより、第２タイマー部１１２の第２所定時間、およびカウント部１０７のカウンターをリセットする。
【００４４】
ステップＳ１３において、停止制御部１０６は、警報出力部１０５により置き忘れ警報が出力中であることを確認した場合は（ステップＳ１３：Ｙｅｓ）、警報を復旧する（ステップＳ１８）。ここで、警報の復旧とは、置き忘れ警報が出力された場合に、停止制御部１０６がスヌーズ機能をリセットすることである。具体的には、停止制御部１０６は、スヌーズ機能のＯＮまたはＯＦＦにかかわらず、第２タイマー部１１２の第２所定時間、およびカウント部１０７のカウンターをリセットする。
【００４５】
このように、本実施の形態によれば、無線タグ２１０からの電波を受信しないエリアにおける作業が生じた場合であっても、延長回数判断部１０９によりスヌーズ機能の設定時間を制限するので、携行品の置き忘れを防止することができる。
【符号の説明】
【００４６】
１０、２０  ネットワーク
５０  現場
１００  携帯端末
１０１  受信部
１０２  操作表示部
１０３  表示制御部
１０４  入力受付部
１０５  警報出力部
１０６  停止制御部
１０７  カウント部
１０８  第１タイマー部
１０９  延長回数判断部
１１０  残余時間判断部
１１１  報知部
１１２  第２タイマー部
２００  携行品
２１０  無線タグ
３００  警備装置
４００  センサ
５００  監視センタ
【図１】
2011166686.tif 000003
【図２】
2011166686.tif 000004